(57)【要約】【課題】外装の強度を増して養生管の強度を大きくし、ブラケット設置穴を開ける必要をなくし、断熱作用に優れ、施工が容易で、施工時間が短く、外装が劣化し難く、長期間経過しても外観を損なわずに維持できるようにする。【解決手段】外装１４にアルミニウム等の金属体を施し、接触面１７の中央に収納用凹所１８を設けた断熱材１５からなる管部材１６を２個用いて対にし、施工時に両管部材１６の収納用凹所１８内に水道管６又はヒーター７付き水道管６を収納し、その両接触面１７同士を合せ結合して管体を形成し、ブラケット２１の巻付部２７をその管体の外周に巻き付ける。【選択図】        図１
2004204586.tif 000002
【特許請求の範囲】
【請求項１】
外装を施し、接触面の中央に水道管又はヒーター付き水道管収納用凹所を一端面から他端面まで貫いて設けた断熱材からなる管部材を２個用いて対にし、施工時に両管部材の収納用凹所内に水道管又はヒーター付き水道管を収納し、その両接触面同士を合せ結合して管体を形成する水道管用養生管であって、上記外装に金属体を用いることを特徴とする水道管用金属外装養生管。
【請求項２】
金属体をアルミニウム製にすることを特徴とする請求項１記載の水道管用金属外装養生管。
【請求項３】
金属体に塗装を施してカラー化することを特徴とする請求項１又は２記載の水道管用金属外装養生管。
【請求項４】
一端に取付部を設け、他端に巻付部を設けたブラケットを用い、そのブラケットの取付部を水道管配置箇所の付近に固定し、その巻付部を水道管又はヒーター付き水道管を収納した養生管の外周の少なくとも一部に巻き付けて施工することを特徴とする請求項１、２又は３記載の水道管用金属外装養生管施工方法。
【発明の詳細な説明】
【０００１】
【発明の属する技術分野】
本発明は水道管又はヒーター付き水道管を収納して気温から断熱保護する水道管用養生管並びにその養生管施工方法に関する。
【０００２】
【従来の技術】
従来、水道管が気温の影響を受けないように収納して、断熱保護する養生管が使用されている。特に、寒冷地では建物の外部に配置する水道管の凍結を防止するため、その外周にニクロム線のヒーターコードを巻き付けた後に、その外側に養生管を施工する。その際には、図６に示すように養生管をほぼ同一形状、構造の２等分割型にする。そして、その各管部材１（１ａ、１ｂ）は図６に示すような本体２とそこに一体に施した外装３との二重構造にし、その本体２には接触面４に水道管又はヒーター付き水道管収納用凹所５を一端面から他端面まで貫いて設けた断熱材を用い、その外装３にはプラスチック製シートを用いる。
【０００３】
すると、施工時に両管部材１の収納用凹所５内に水道管６又はヒーター７付き水道管６を収納し、その接触面４同士を合せ結合して管体にし、養生管を形成できる。なお、両管部材１を結合するため、一方の例えば管部材１ｂの接触面４の両端に内面に接着剤を貼付したシート状の結合用突部８（８ａ、８ｂ）を夫々設けておく。
【０００４】
このような水道管は一般的施工方法によると、施工時に一端に取付部９を設け、他端に巻付部１０を設けた金属製ブラケット１１を用いる。そして、ブラケット１１毎にその取付部９を水道管配置箇所の付近にある建物の外壁、躯体等に固定して取り付ける。次に、そのブラケット１１の巻付部１０を水道管６の外周に１回り巻き付けて、ブラケット１１で水道管６を支持する。その後、水道管６に養生管の施工を行なう、或いは水道管６にヒーター７を巻き付けた後に、養生管の施工を行なうという工程を踏む。それ故、養生管を形成する管部材１の少なくとも一方、例えば管部材１ａを一部切り欠いて、ブラケット１１の腕部１２が通るブラケット設置穴１３を形成しなければならない。なお、養生管を用いない場合には、水道管６にヒーター７を巻き付けた後、更にそれ等の上に断熱材シートを巻き付けてビニールテープ等で留める。
【０００５】
【発明が解決しようとする課題】
しかしながら、このように管部材１にブラケット設置穴１３を設けると、外部の冷気がその穴１３から直接入り込んで水道管６に接触し、同時に冷気の温度がブラケット１１を介して水道管６に伝達する。それ故、養生管施工による断熱作用が損なわれ易い。又、養生管施工が複雑化し、施工時間が長くなり易い。しかも、養生管の外装３としてプラスチック製シートを施しておくと、その外装３が短期間の内に劣化し易く、外装３に穴が開き、又めくれて内部の断熱材２が露出して外観が悪くなる。
【０００６】
本発明はこのような従来の問題点に着目してなされたものであり、外装の強度を増して養生管の強度を大きくし、ブラケット設置穴を開ける必要をなくし、断熱作用に優れ、施工が容易で、施工時間が短く、外装が劣化し難く、長期間経過しても外観を維持できる水道管用養生管並びにその養生管施工方法を提供することを目的とする。
【０００７】
【課題を解決するための手段】
上記目的を達成するために、本発明による水道管用金属外装養生管は、外装を施し、接触面の中央に水道管又はヒーター付き水道管収納用凹所を一端面から他端面まで貫いて設けた断熱材からなる管部材を２個用いて対にし、施工時に両管部材の収納用凹所内に水道管又はヒーター付き水道管を収納し、その両接触面同士を合せ結合して管体を形成する。そして上記外装に金属体を用いる。
又、上記金属体をアルミニウム製にすると好ましくなる。
又、上記金属体に塗装を施してカラー化するとよい。
【０００８】
又、本発明による水道管用金属外装養生管施工方法では、一端に取付部を設け、他端に巻付部を設けたブラケットを用い、そのブラケットの取付部を水道管配置箇所の付近に固定し、その巻付部を水道管又はヒーター付き水道管を収納した養生管の外周の少なくとも一部に巻き付けて施工する。
【０００９】
【発明の実施の形態】
以下、添付の図１〜５を参照して、本発明の実施の形態を説明する。
図１は本発明を適用したストレート水道管用金属外装養生管の施工過程を示す斜視図、図２はその金属外装養生管の施工に用いるブラケットの主要部を示す斜視図である。このストレート水道管用金属外装養生管は、図１に示すようにやはり外装１４を施した本体１５からなる二重構造の管体にして、２等分割型にする。しかし、各管部材１６（１６ａ、１６ｂ）の外装１４には強度を大きくするため、アルミニウム、ステンレス等の金属体例えば厚みが０．１〜０．２ｍｍ程の半円筒体を用いる。その際、アルミニウム製の半円筒体を用いると、比較的柔らかであるため、切断等の加工が容易であり好都合となる。
【００１０】
そして、本体１５には例えば従来と同様の接触面１７に水道管６又はヒーター７付き水道管６を収納する収納用の凹所１８を一端面から他端面まで貫いて設けた断熱材、例えばポリウレタン等のプラスチック製発泡断熱材を用いる。なお、各管部材１６の製造工程で外装１４を本体１５に施す際、リサイクルに備えて接着箇所を少なくし、両者を分離し易くしておく。
【００１１】
このような金属外装養生管の施工には、図２に示すようなＴ字状金具１９とリング状金具２０とを組み合せ、更に図示を省略した２個の止めねじと、２組のボルト、ナットとを用いたブラケット２１を用いる。そして、Ｔ字状金具１９の長穴２２を２箇所に設けた長方形状板体２３をブラケット２１の腕部にする。又、その板体２３の一端に結合している丸穴２４を２箇所設けた長方形状板体２５をブラケット２１の取付部にする。
【００１２】
又、リング状金具２０の中央に丁番２６を設けた板状円リング部２７をブラケット２１の巻付部にする。又、その巻付部２７の一端から丸穴２８を２箇所設けた長めの長方形状板体２９を突設し、その他端から丸穴３０を１箇所設けた短めの長方形状板体３１を突設して、それ等の両板体２９、３１を腕部２３の両側に配置し、その腕部２３との夫々結合部にする。なお、巻付部２７にはその内面中央にリングに沿って合成ゴム等からなる帯状の弾性部材３２を配設しておく。
【００１３】
施工時、建物、躯体等の外部に水道管を付設する場合、ブラケット２１を必要数用意し、その各ブラケット２１を建物の外壁、躯体等の水道管配置箇所に沿わせて順次配置して取り付ける。その際、各ブラケット２１毎に、先ずＴ字状金具１９の取付部２５を両丸穴２４にねじ３３を嵌めて建物の外壁、躯体等に夫々固定する。すると、その取付部２５を建物の外壁、躯体等の例えば垂直部に固定した時に、腕部２３の主面を水平にできる。
【００１４】
次に、そのＴ字状金具１９に対し、リング状金具２０を取り付け固定する。その際、リング状金具２０の長め結合部２９をＴ字状金具１９の腕部２３に結合するが、先に長め結合部２９の先端側、腕部２３の基端側のみを対応する丸穴２８と長穴２２とにボルト３４を嵌め、ナット３５で締め付けて結合する。すると、リング状金具２０の巻付部２７の丁番２６で分かれる半円状の下半分が受部になり、その半円状上半分が丁番２６により開閉自在になる。
【００１５】
そこで、水道管配置箇所に沿って水平方向に配置されている複数のブラケット２１を利用し、各ブラケット２１の巻付部２７の下半分内に、先ず一方の管部材１６ａを入れる。次に、その管部材１６ａの収納用凹所１８に水道管６又はヒーター７付き水道管６を収納し、更に各ブラケット２１の巻付部２７の下半分内に他方の管部材１６ｂを入れる。次に、両管部材１６の接触面１７同士を合せ、その両合せ目を片面に接着剤を貼付したアルミニウム等の金属テープを用いて塞ぎ、両管部材１６を結合する。
【００１６】
すると、管体が形成でき、養生管の本体が完成する。そこで、本体の両端部に、図３に示すようなアルミニウム等の金属製エンドキャップ３６を夫々施す。すると、本体両端の切断面をキャップ３６で各々隠して整えた養生管が完成する。なお、３７は水道管６又はヒーター７付き水道管６を通す挿通穴である。
【００１７】
次に、ブラケット２１の巻付部２７の下半分で支えた養生管上に、その巻付部２７の上半分を夫々被せる。その後、長め結合部２９の基端側、腕部２３の先端側、短め結合部３１を重ね合わせ、対応する丸穴２８、３０、長穴２３にボルトを嵌め、ナットで締め付けて結合する。すると、ブラケット２１の巻付部２７を、水道管６又はヒーター７付き水道管６を収納した養生管の外周全体に巻き付け、それ等を水平方向に配置し、良好に支持できる。
【００１８】
このようにして、外装１４に金属体を施し強度を増して養生管の強度を大きくし、その外周にブラケット２１の巻付部２７を巻き付けて施工すると、養生管に水道管６を支えるブラケット設置穴を開ける必要がない。それ故、養生管の断熱作用を損なうことがなく、優れた断熱効果を発揮できる。又、養生管とその内部に収納した水道管６又はヒーター７付き水道管６とを一度に施工すると、その養生管にブラケット設置穴を開ける必要もないので、施工が容易であり、施工時間を短くできる。又、養生管の外装１４に金属体を施しておくと、長期間経過してもその外装１４が劣化し難く、外観を維持できる。
【００１９】
又、このような養生管の外装１４たる金属体に塗装を施してカラー化すると、塗装により外装１４の強度が更に増して外装１４が一層劣化し難くなり、建物の外壁、躯体等の色に一致した色選択が可能になって、建物、躯体等の美観を損うことなく維持できる。又、養生管を廃棄処理する場合には外装１４たる金属体と本体１５たる断熱材との接着箇所を少なくして分離し易くしておくことにより、両者を簡単に分離できる。それ故、外装１４たるアルミニウム等の金属体をリサイクルし、残りの本体１５たる断熱材を廃棄処分すると、廃棄物を少なくすることができる。
【００２０】
上記の実施の形態ではブラケット２１の巻付部２７を養生管の外周全体に巻き付ける場合について説明したが、養生管をブラケットにより支持できれば、ブラケットの巻付部を養生管の外周の一部のみに巻き付けて施工してもよい。
【００２１】
又、上記の実施の形態ではストレートの水道管を収納するため、養生管がストレートである場合について説明したが、Ｌ字状に屈曲する水道管を収納するには、図４に示すような対となるＬ字状管部材３８（３８ａ、３８ｂ）を用いて、Ｌ字状養生管を形成する。なお、３９は外装たる金属体、４０は本体たる断熱材、４１はその断熱材４０に設けた収納用凹所である。
又、Ｔ字状に結合する水道管を収納するには、図５に示すような対となるＴ字状管部材４２（４２ａ、４２ｂ）を用いて、Ｔ字状養生管を形成する。なお、４３は外装たる金属体、４４は本体たる断熱材、４５はその断熱材４４に設けた収納凹所である。
【００２２】
【発明の効果】
以上説明した本発明によれば、請求項１記載の発明では外装に金属体を施して外装の強度を増し、養生管の強度を大きくすることにより、その外周をブラケットで直接支持できる。それ故、養生管に水道管を支えるブラケット設置穴を開ける必要がなく、養生管の断熱作用を損なわないので、優れた断熱効果を発揮できる。
【００２３】
又、養生管とその内部に収納した水道管又はヒーター付き水道管とを一度に施工でき、その養生管にブラケット設置穴を開ける必要もないので、施工が容易であり、施工時間を短くできる。又、養生管の外装として金属体を施しておくと、その外装が劣化し難く、長期間経過しても外観を損なわずに維持できる。
【００２４】
又、請求項２記載の発明では外装たる金属体をアルミニウム製にすることにより、アルミニウムが比較的柔らかで、切断等の加工が容易であるため、施工に好都合となる。
【００２５】
又、請求項３記載の発明では外装たる金属体に塗装を施してカラー化することにより、外装の強度を更に増して、外装を一層劣化し難くすることができる。しかも、養生管の色を建物の外壁、躯体等の色と一致するように選択することが可能になり、建物、躯体等の美観を損なわずに維持できる。
【００２６】
又、請求項４記載の発明ではブラケットの取付部を水道管配置箇所の付近に固定し、その巻付部を養生管の外周の少なくとも一部に巻き付けて施工することにより、養生管とその内部に収納した水道管又はヒーター付き水道管とを一度に簡単に施工でき、その養生管にブラケット設置穴を開ける必要もなくなる。
【図面の簡単な説明】
【図１】本発明を適用したストレート水道管用金属外装養生管の施工過程を示す斜視図である。
【図２】同金属外装養生管の施工に用いるブラケットの主要部を示す斜視図である。
【図３】同金属外装養生管のエンドキャップを示す斜視図である。
【図４】本発明を適用したＬ字状水道管用金属外装養生管の形成に用いる対となる管部材を示す斜視図である。
【図５】本発明を適用したＴ字状水道管用金属外装養生管の形成に用いる対となる管部材を示す斜視図である。
【図６】従来のストレート水道管用養生管の施工過程を示す斜視図である。
【符号の説明】
６…水道管  ７…ヒーターコード  １４、３９、４３…外装（金属体）  １５、４０、４４…本体（断熱材）  １６、３８、４２…管部材  １７…接触面  １８、４１、４５…収納用凹所  １９…Ｔ字状金具  ２０…リング状金具  ２１…ブラケット  ２３…腕部  ２５…取付部  ２６…丁番  ２７…巻付部  ２９、３１…長、短結合部  ３３…止めねじ  ３４…ボルト  ３５…ナット  ３６…エンドキャップ
【図１】
2004204586.tif 000003
【図２】
2004204586.tif 000004
【図３】
2004204586.tif 000005
【図４】
2004204586.tif 000006
【図５】
2004204586.tif 000007
【図６】
2004204586.tif 000008